(57)【要約】【課題】  大型化することなく、筐体の温度上昇を制御できる屋外用アンテナの取付構造を提供する。【解決手段】  屋外用アンテナの取付構造１０は、屋外用アンテナ１１を支柱１２に取り付けるための固定部材１５が、支柱１２に支持される支持部１６と、屋外用アンテナ１１の取付面２２に連結される連結部１７と、支持部１６および連結部１７間に架け渡されて筐体１３を立体的に配向可能な腕部１８とを備える。この屋外用アンテナの取付構造１０は、連結部１７が、取付面２２に固定されるとともに立設される一対の脚部３１と、各脚部３１に支持されて取付面２２に対して所定の空隙３８を介してほぼ平行に配置される支持板３２とを有している。【選択図】    図１
2006270574.tif 000002
【特許請求の範囲】
【請求項１】
アンテナ本体、回路基板、各種電子部品を収容した筐体を有する屋外用アンテナを固定構造物に取り付けるための固定部材が、
前記固定構造物に支持される支持部と、
前記筐体の外部において前記アンテナ本体の指向に対して影響しない方向に設けた取付面に連結される連結部と、
前記支持部および前記連結部間に架け渡されて前記筐体を立体的に配向するために三次元屈曲可能な腕部とを備える屋外用アンテナの取付構造であって、
前記連結部が、前記取付面に固定されるとともに立設される複数の脚部と、
前記各脚部に支持されて前記取付面に対して所定の空隙を介してほぼ平行に配置される支持板とを有し、前記支持板が前記筐体に対し太陽光を遮る位置に設置可能であることを特徴とする屋外用アンテナの取付構造。
【発明の詳細な説明】
【技術分野】
【０００１】
本発明は、アンテナ本体、回路基板、各種電子部品を収容した筐体を有する屋外用アンテナを固定構造物に取り付けるための屋外用アンテナの取付構造に関する。
【背景技術】
【０００２】
移動端末と無線基地局との通信に用いられる屋外用アンテナは、アンテナ本体、回路基板、各種電子部品などを収容した筐体が取付部材を介して例えば支柱などに固定される。
この屋外用アンテナは、最良の通信環境を得るために、なるべく高い位置に筐体が固定され、かつ、アンテナ本体が移動端末の使用者に向くように、筐体が下向きに配向されることが多い。
【０００３】
ここで、屋外アンテナは、筐体が日射に晒されるため、特に夏季には筐体の内部温度が著しく上昇し、高周波用のアンテナ本体、回路基板、各種電子部品などに悪影響を及ぼす虞がある。
このような問題に対応するために、筐体に日陰カバーを冠着した屋外収容箱が提案されている（例えば、特許文献１）。
特許文献１の屋外収容箱によれば、筐体に日陰カバーを冠着することで、筐体および日陰カバー間に空隙が形成され、空隙に外気が導入される。
この空隙により日射による熱が断熱されるため、筐体内部の温度上昇を制御できるという効果が得られる。
【特許文献１】実開昭６０−１４２５４２号公報
【発明の開示】
【発明が解決しようとする課題】
【０００４】
しかしながら、特許文献１の屋外収容箱は、筐体よりも大きいほぼ相似形の日陰カバーで筐体を覆うため、大型化が避けられないという不都合がある。
【０００５】
本発明は上記事情に鑑みてなされたもので、大型化することなく、筐体の温度上昇を制御できる屋外用アンテナの取付構造を提供することを目的とする。
【課題を解決するための手段】
【０００６】
本発明の屋外用アンテナの取付構造は、アンテナ本体、回路基板、各種電子部品を収容した筐体を有する屋外用アンテナを固定構造物に取り付けるための固定部材が、前記固定構造物に支持される支持部と、前記筐体の外部において前記アンテナ本体の指向に対して影響しない方向に設けた取付面に連結される連結部と、前記支持部および前記連結部間に架け渡されて前記筐体を立体的に配向するために三次元屈曲可能な腕部とを備える屋外用アンテナの取付構造であって、前記連結部が、前記取付面に固定されるとともに立設される複数の脚部と、前記各脚部に支持されて前記取付面に対して所定の空隙を介してほぼ平行に配置される支持板とを有し、前記支持板が前記筐体に対し太陽光を遮る位置に設置可能であることを特徴とする。
【０００７】
筐体を支える連結部の構成部材として、複数の脚部と支持板とを有する。そして、複数の脚部を、筐体の取付面に立設させた状態で固定し、各脚部間に支持板を支持するとともに、この支持板を取付面に対して所定の空隙を介してほぼ平行に配置する。
これにより、空隙内の空気層で断熱効果を高めることが可能になり、日射による筐体内部の温度上昇が制御できる。
【０００８】
特に、筐体を三次元屈曲可能な腕部で立体的に配向することが可能なため、空隙を日射に向けて配置することが可能になる。
これにより、空隙の空気層で日射を良好に遮る（すなわち、日除けの効果を得る）ことができ、さらに、空隙内の空気が日射で温度上昇した場合、温度上昇した空気が空隙内から抜け出して、フレッシュな外気が空隙内に導入され、筐体内部の温度上昇をより効果的に制御できる。
【０００９】
さらに、連結部を、空隙を形成する部材として兼用することで、空隙を形成するために、従来必要とされていた、筐体よりも大きい日陰カバーを不要にできる。
これにより、屋外用アンテナが通常の大きさに保たれ、屋外用アンテナの大型化を防止できる。
【発明の効果】
【００１０】
本発明によれば、連結部を、空隙を形成する部材として兼用することで、屋外用アンテナが大型化することなく、筐体の温度上昇を制御できるという効果を有する。
【発明を実施するための最良の形態】
【００１１】
図１〜図３に示すように、第１実施の形態の屋外用アンテナの取付構造１０は、屋外用アンテナ１１を支柱（固定構造物）１２に取り付ける部材である。
屋外用アンテナ１１は、アンテナ本体１１Ａ、回路基板、各種電子部品を収容した筐体１３を有する。
【００１２】
屋外用アンテナの取付構造１０は、屋外用アンテナ１１を支柱１２に取り付けるための固定部材１５を備える。
固定部材１５は、支柱１２に支持される支持部１６と、筐体１３に連結される連結部１７と、連結部１７および支持部１６間に架け渡された腕部１８とを備える。
【００１３】
筐体１３は、外形が略矩形状体に形成され、略矩形状体の内部にアンテナ本体１１Ａ、回路基板、および各種電子部品が収容されている。
このアンテナ本体１１Ａは、アンテナ本体１１Ａの指向が矢印Ａ（図２、図３も参照）の方向を向くように、筐体１３の内部に収容されている。
【００１４】
筐体１３の壁面のうち、アンテナ本体１１Ａの指向を示す矢印Ａに交差する面をアンテナ指向面２１（図２〜図４参照）とし、アンテナ本体１１Ａの指向に対して離れる方向を向く面を取付面２２とする。
ここで、図２〜図４に示すアンテナ指向面２１が、移動端末の使用者に向くように筐体１３が配置されることが好ましい。
【００１５】
支持部１６は、支柱１２を挟持する内外側の取付ブラケット２４，２５、および内外側の取付ブラケット２４，２５を締め付けるボルト２６・ナット２７を備える。
内側取付ブラケット２４は、一対の連結プレート２８を有し、一対の連結プレート２８を、一定間隔Ｌ１（図２参照）をおいて配置したものである。
一対の連結プレート２８には湾曲状のガイド孔２８Ａが形成されている。
【００１６】
内側取付ブラケット２４と外側取付ブラケット２５とを、支柱１２の両側に当接するとともに、互いに平行に配置し、内外側の取付ブラケット２４，２５をボルト２６・ナット２７で締め付けることで、支柱１２に支持部１６を固定する。
この状態で、一対の連結プレート２８は、一定間隔Ｌ１をおいて、互いに水平に配置される。
【００１７】
連結部１７は、筐体１３の外部において取付面２２に連結される部材である。この連結部１７は、取付面２２に固定されるとともに立設される一対の（複数の）脚部３１と、各脚部３１に支持されて取付面２２に対して所定の空隙３８を介してほぼ平行に配置される支持板３２と、この支持板３２に固定される一対の連結プレート３３とを有する。
【００１８】
図５〜図７に示すように、脚部３１は、固定部３５と壁部３６とで略Ｌ字形に形成され、固定部３５が取付面２２にボルト３７（図２〜図３参照）で固定され、壁部３６が取付面２２に対して垂直に立ち上げられている。
図５に示すように、支持板３２は、一端部３２Ａが一方の壁部３６頂部に設けられ、他端部３２Ｂが他方の壁部３６頂部に設けられることにより、各壁部３６に架け渡された平板である。
【００１９】
よって、図１〜図３に示すように、取付面２２、一対の壁部３６および支持板３２で、略矩形状の枠部３７が形成され、この枠部３７で空隙３８を形成する。
これにより、空隙３８内の空気層で断熱効果を高めることが可能になり、日射５０（図１参照）による筐体１３内の温度上昇が制御される。
【００２０】
この枠部３７は、図３に示すように、両端３７Ａ，３７Ｂが開口されている。
さらに、図３、図６に示すように、一対の壁部３６は、中央部に凹み３６Ａが形成されているので、枠部３７は、両側部が開口されている。
よって、空隙３８は両端および両側部が外部に開放されている。
【００２１】
これにより、空隙３８内の空気が日射５０で温度上昇した場合、温度上昇した空気が空隙３８内から抜け出して、フレッシュな外気が空隙３８内に導入され、筐体１３内の温度上昇が効果的に制御される。
【００２２】
支持板３２には一対の連結プレート３３がボルト４１で固定されている。一対の連結プレート３３は一定間隔Ｌ２（図３、図６参照）をおいて配置され、一対の連結プレート３３には湾曲状のガイド孔３３Ａ（図２、図５参照）が形成されている。
図２、図５に示すように、一対の連結プレート３３は、支柱１２に支持部１６を固定した状態で、互いに鉛直に配置される。
【００２３】
支持部１６の連結プレート２８と連結部１７の連結プレート３３とに腕部１８が連結されている。腕部１８は、支持部１６および連結部１７間に架け渡されて筐体１３を立体的に配向するために三次元屈曲可能な部材である。
【００２４】
具体的には、腕部１８は、図５〜図６に示すように、上下左右の壁面１８Ａ，１８Ｂ，１８Ｃ，１８Ｄで略断面矩形状に形成された中空の部材である。
腕部１８は、図５に示すように、基端部１８Ｅの上下の壁面１８Ａ，１８Ｂが、支持部１６の連結プレート２８間に差し込まれ、図６に示すように、先端部１８Ｆの左右の壁面１８Ｃ，１８Ｄが、連結部１７の連結プレート３３間に差し込まれる。
【００２５】
支持部１６の連結プレート２８に差し込まれた上下の壁面１８Ａ，１８Ｂが、連結プレート２８に第１、第２のボルト４３，４４で連結される。第２ボルト４４は、連結プレート２８のガイド孔２８Ａに差し込まれている。
よって、第１、第２のボルト４３，４４を緩めることで、第１ボルト４３を軸にして腕部１８を水平方向にスイング移動することができる。
【００２６】
連結部１７の連結プレート３３に差し込まれた左右の壁面１８Ｃ，１８Ｄが、連結プレート３３に第３、第４のボルト４６，４７で連結される。第４ボルト４７は、連結プレート３３のガイド孔３３Ａに差し込まれている。
よって、第３、第４のボルト４６，４７を緩めることで、第３ボルト４６を軸にして連結プレート３３（連結部１７）を鉛直方向にスイング移動することができる。
【００２７】
このように、第１ボルト４３を軸にして腕部１８を水平方向にスイング移動し、かつ、第３ボルト４６を軸にして連結部１７を鉛直方向にスイング移動することで、腕部１８を三次元屈曲させた状態と同様の動作を確保できる。
【００２８】
これにより、筐体１３を支持部１６に対して立体的（三次元）に配向することが可能になる。
筐体１３を三次元屈曲可能な腕部１８で立体的に配向することが可能なため、図１に示すように、空隙３８を日射５０に向けて配置することが可能になる。
【００２９】
次に、屋外用アンテナの取付構造１０の使用例を図１に基づいて説明する。
先ず、第１ボルト４３（図３参照）を軸にして腕部１８を水平方向にスイング移動し、第３ボルト４６を軸にして連結部１７を鉛直方向にスイング移動して、屋外用アンテナ１１の筐体１３を支持部１６に対して立体的（三次元）に配向する。
【００３０】
ここで、屋外用アンテナ１１は、最良の通信環境を得るために、なるべく高い位置に筐体１３が固定され、かつ、アンテナ指向面２１（図２〜図４参照）が移動端末の方向に向くように、筐体１３は下向きに配向される。具体的には、駐車場入口等で精算する車の車載機アンテナ（図示せず）へアンテナ指向面を向ける。
筐体１３を下向きに配向することで、支持板３２が、筐体１３の上側に位置して、日射５０に向けて配向される。
【００３１】
これにより、空隙３８が筐体１３の上側に位置して、空隙３８で日射５０を良好に遮ることにより、日除けの効果が得られる。
さらに、空隙３８内の空気が日射で温度上昇した場合、温度上昇した空気が空隙３８内から抜け出して、フレッシュな空気が空隙３８内に進入して、筐体１３内部の温度上昇をより効果的に制御する。
【００３２】
ここで、一例として、筐体１３のサイズが、３．２×１０６ｍｍ３の場合、隙間３８の厚さを２０ｍｍに確保することで、約１０℃の温度上昇が緩和される。
【００３３】
以上説明したように、連結部１７を、空隙３８を形成する部材として兼用することで、空隙３８を形成するために、従来必要とされていた、筐体１３よりも大きい日陰カバーを不要にできる。
これにより、屋外用アンテナ１１が通常の大きさに保たれ、屋外用アンテナ１１の大型化が防止される。
【００３４】
なお、前記実施の形態では、固定構造物として、支柱１２を例示したが、固定構造物はこれに限定するものではない。
また、前記実施の形態で例示した筐体１３、支持部１６、連結部１７および腕部１８などの形状は、これに限定するものではなく、適宜変更が可能である。
【産業上の利用可能性】
【００３５】
本発明は、筐体にアンテナ本体などを収容した屋外用アンテナを固定構造物に取り付けるための屋外用アンテナの取付構造への適用に好適である。
【図面の簡単な説明】
【００３６】
【図１】本発明に係る屋外用アンテナの取付構造で屋外用アンテナを支柱に取り付けた状態を示す斜視図である。
【図２】本発明に係る屋外用アンテナの取付構造で屋外用アンテナを支柱に取り付けた状態を示す側面図である。
【図３】本発明に係る屋外用アンテナの取付構造で屋外用アンテナを支柱に取り付けた状態を示す平面図である。
【図４】本発明に係る屋外用アンテナの取付構造で屋外用アンテナを支柱に取り付けた状態を示す正面図である。
【図５】本発明に係る屋外用アンテナの取付構造を支柱に取り付けた状態を示す側面図である。
【図６】本発明に係る屋外用アンテナの取付構造を支柱に取り付けた状態を示す平面図である。
【図７】本発明に係る屋外用アンテナの取付構造を支柱に取り付けた状態を示す正面である。
【符号の説明】
【００３７】
１０  屋外用アンテナの取付構造
１１  屋外用アンテナ
１１Ａ  アンテナ本体
１２  支柱（固定構造物）
１３  筐体
１５  固定部材
１６  支持部
１７  連結部
１８  腕部
２２  取付面
３１  脚部
３２  支持板
３８  空隙
【図１】
2006270574.tif 000003
【図２】
2006270574.tif 000004
【図３】
2006270574.tif 000005
【図４】
2006270574.tif 000006
【図５】
2006270574.tif 000007
【図６】
2006270574.tif 000008
【図７】
2006270574.tif 000009